(57)【要約】【課題】セキュリティを高めつつも、不快感を近隣住人等に与えるのを抑止できる荷物収納装置を提供する。【解決手段】荷物収納装置１００は、荷物を収納するための荷物収納部５４と、荷物収納部５４に荷物を出し入れするための開口を開閉する荷物扉２６と、荷物扉２６を開くための操作を行う人を撮像する撮像ユニット４２と、撮像ユニット４２を覆う外扉３０と、を備える。【選択図】図４
2019176984.tif 000002
【特許請求の範囲】
【請求項１】
荷物を収納するための荷物収納部と、
前記荷物収納部に荷物を出し入れするための開口を開閉する荷物扉と、
前記荷物扉を開くための操作を行う人を撮像する撮像ユニットと、
前記撮像ユニットを覆うための外扉と、
を備えることを特徴とする荷物収納装置。
【請求項２】
前記外扉は、前記撮像ユニットに加えて、前記荷物扉を覆うことを特徴とする請求項１に記載の荷物収納装置。
【請求項３】
操作を受け付けるための操作表示部と、
制御部と、
を備え、
前記制御部は、前記外扉が開かれた場合に、前記荷物扉を開くための操作を受け付けるための操作画面を前記操作表示部に表示させることを特徴とする請求項１または２に記載の荷物収納装置。
【請求項４】
前記荷物扉を施錠するための錠前部と、
制御部と、
を備え、
前記制御部は、前記外扉が閉じられた場合には、前記外扉が閉じられたことを契機に前記錠前部を施錠し、前記外扉は閉じられていない場合には、前記荷物扉が閉じられてから所定時間が経過したことを契機に前記錠前部を施錠することを特徴とする請求項１から３のいずれかに記載の荷物収納装置。
【請求項５】
前記撮像ユニットは、着脱可能であることを特徴とする請求項１から４のいずれかに記載の荷物収納装置。
【請求項６】
投函物を収納するための投函物収納部と、
前記撮像ユニットを保持する電装ケースと、
を備え、
前記電装ケースの上面は、前方に開口した前記投函物収納部への投函口の下面を画定することを特徴とする請求項１または２に記載の荷物収納装置。
【請求項７】
前記電装ケースの上面は、前側となるほど下方に位置するように傾斜していることを特徴とする請求項６に記載の荷物収納装置。
【請求項８】
投函物を収納するための投函物収納部と、
前記撮像ユニットの背面を覆う保護ケースと、
を備え、
前記保護ケースの上面は、前方に開口した前記投函物収納部への投函口の内側に位置し、前記投函口から投函される投函物を、投函物が積み重なる積載面に案内するように、前記投函口から離れるほど下方に位置するように傾斜していることを特徴とする請求項１または２に記載の荷物収納装置。
【請求項９】
前記投函口を開閉するフラップを備え、
前記フラップの前面は、下側となるほど前方に位置するように傾斜している傾斜面を有することを特徴とする請求項８に記載の荷物収納装置。
【発明の詳細な説明】
【技術分野】
【０００１】
本発明は、荷物収納装置に関する。
【背景技術】
【０００２】
ネット通販の利用増加や共働き・単身世帯の増加に伴い、宅配物が再配達となるケースが増加している。再配達の増加は、社会的な問題にもなっている。この問題の解決策のひとつとして、宅配物等の荷物を収納できる荷物収納装置の戸建てへの普及が期待されている。
【先行技術文献】
【特許文献】
【０００３】
【特許文献１】特開２０１７−１３６１０８号公報
【発明の概要】
【発明が解決しようとする課題】
【０００４】
荷物収納装置の戸建てへの普及が求められる中、本発明者は荷物収納装置について以下の課題を認識するに至った。
【０００５】
セキュリティの観点から、宅配物等の荷物を収納するための荷物収納部の扉を開けようとする人を撮像ユニットで撮像することが考えられるが、撮像ユニットを設置すると、監視されているかのような不快感を近隣住人等に与えるおそれがある。
【０００６】
本発明は、係る課題に鑑みてなされたものであり、そのある態様の例示的な目的のひとつは、セキュリティを高めつつも、不快感を近隣住人等に与えるのを抑止できる荷物収納装置を提供することがある。
【課題を解決するための手段】
【０００７】
上記課題を解決するために、本発明のある態様の荷物収納装置は、荷物を収納するための荷物収納部と、荷物収納部に荷物を出し入れするための開口を開閉する荷物扉と、荷物扉を開くための操作を行う人を撮像する撮像ユニットと、撮像ユニットを覆う外扉と、を備える。
【発明の効果】
【０００８】
本発明によれば、セキュリティを高めつつも、不快感を近隣住人等に与えるのを抑止できる。
【図面の簡単な説明】
【０００９】
【図１】実施の形態に係る荷物収納装置の斜視図である。
【図２】図１の荷物収納装置の斜視図である。
【図３】図１の荷物収納装置の斜視図である。
【図４】図１の荷物収納装置の断面図である。
【図５】図４のフラップおよび機能ユニットとそれらの周辺を拡大して示す拡大断面図である。
【図６】図１の荷物収納装置の制御系を示すブロック図である。
【００１０】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
図１〜３は、実施の形態に係る荷物収納装置１００の斜視図である。図１は、外扉を閉じた状態を示し、図２は外扉を開けた状態を示し、図３は、外扉および２つの内扉を開けた状態を示す。図４は、ボックス本体１０の右側板１３および左側板１４に平行な断面で切断した、荷物収納装置１００の断面図である。荷物収納装置１００は、玄関先に据え置かれたり、門柱に組み込まれたりする。本実施の形態の荷物収納装置１００は、宅配ボックスの機能とポストの機能を有する。
【００１２】
荷物収納装置１００は、ボックス本体１０と、仕切２０と、取出扉２２と、荷物扉２６と、投函扉２８と、外扉３０と、機能ユニット４０と、フラップ２４と、保護ケース３６と、を備える。
以下、ボックス本体１０に対して外扉３０が設けられる側を前側として説明する。
【００１３】
ボックス本体１０は、前面が開いた四角い箱状に形成される。ボックス本体１０は、天板１１と、底板１２と、右側板１３と、左側板１４と、背板１５と、を含む。
【００１４】
仕切２０は、板状の部材であり、ボックス本体１０の内部を上下に、具体的には上側の投函物収納部５２と下側の荷物収納部５４とに仕切る。
【００１５】
機能ユニット４０は、撮像ユニット４２と、操作表示ユニット４４と、それらが固定される電装ケース４６と、を含む。電装ケース４６は、横長の額縁状（窓枠状）に形成されており、左右に並んだ撮像ユニット４２と操作表示ユニット４４を環囲し、それらを保持する。電装ケース４６ひいては機能ユニット４０は、ボックス本体１０に固定された保護ケース３６に対して後述のように固定される。
【００１６】
撮像ユニット４２は、荷物扉２６や取出扉２２を開くための操作を行う人を撮像する。操作表示ユニットは、この例では撮像ユニット４２の右隣に配置されている。操作表示ユニット４４は、タッチパネル式の表示装置であり、情報を表示するとともに、ユーザからの操作入力、例えば荷物扉２６を開くための操作入力を受け付ける。
【００１７】
取出扉２２は、この例では右開きとなるようにボックス本体１０に対して取り付けられ、投函物収納部５２から投函物を取り出すための取出口（開口）５２ａを開閉する。なお、取出口５２ａは、機能ユニット４０、右側板１３、左側板１４および仕切２０により画定される。
【００１８】
第１錠前部２３は、取出扉２２に固定される。第１錠前部２３は、制御部（後述）からの指示に基づいて取出扉２２を施錠および解錠する。
【００１９】
荷物扉２６は、この例では右開きとなるようにボックス本体１０に対して取り付けられ、荷物収納部５４に荷を出し入れするための出し入れ口（開口）５４ａを開閉する。なお、出し入れ口５４ａは、仕切２０、右側板１３、左側板１４および底板１２で画定される。
【００２０】
第２錠前部２７は、荷物扉２６に固定される。第２錠前部２７は、制御部（後述）からの指示に基づいて荷物扉２６を施錠および解錠する。
【００２１】
フラップ２４は、下開きとなるようにボックス本体１０に対して取り付けられる。フラップ２４は特に、投函物収納部５２への投函口５２ｂを内側から覆い、投函口５２ｂを開閉する。なお、投函口５２ｂは、前方に開口した投函口であり、天板１１、右側板１３、左側板１４および機能ユニット４０により画定される。投函口５２ｂは、投函物の盗難を抑止するために、例えば指先までしか入らない大きさに形成される。
【００２２】
投函扉２８は、投函口５２ｂを外側から覆う扉であり、上開きとなるようにボックス本体１０に対して取り付けられる。
【００２３】
外扉３０は、少なくとも撮像ユニット４２を覆うための扉であり、この例では右開きとなるようにボックス本体１０に対して取り付けられる。撮像ユニット４２が常に露出していると、監視されているかのような不快感を近隣住人等に与えてしまうところ、外扉３０で撮像ユニット４２を覆うことで、これを抑止できる。
【００２４】
また外扉３０は、好ましくは撮像ユニット４２に加えて荷物扉２６も覆うように構成される。この場合、荷物収納部５４に対して荷を出し入れするには外扉３０を開くことになり、したがって必然的に撮像ユニット４２が外扉３０に覆われていない状態になる。そのため、荷物扉２６を開くための操作を行う人を確実に撮像できる。また外扉３０は、さらに取出扉２２も覆うように構成されてもよい。この場合、取出扉２２を開くための操作を行う人も確実に撮像できる。
【００２５】
また外扉３０は、好ましくは撮像ユニット４２に加えて操作表示ユニット４４も覆うように構成される。この場合、操作表示ユニット４４は、直射日光や雨風にさらされないように外扉３０に保護されため、劣化が抑えられる。
【００２６】
図示の例では、外扉３０は、撮像ユニット４２、操作表示ユニット４４および荷物収納部５４を覆うように構成されている。また、外扉３０が閉じられると、それにともなって取出扉２２および荷物扉２６が閉じられるように構成されている。
【００２７】
図５は、フラップ２４および機能ユニット４０とそれらの周辺を拡大して示す拡大断面図である。図５に加えて図４を参照する。
【００２８】
フラップ２４の前面２４ａは、下側となるほど前方に位置するように傾斜する傾斜面２４ａａを有する。また、電装ケース４６の上面４６ａは、前側ほど下方に位置するように傾斜している。上面４６ａは特に、フラップ２４の傾斜面２４ａａよりも後方から傾斜面２４ａａよりも前方まで延在している。これにより、万が一に投函扉２８よりも内側に雨水等の液体が浸入しても、電装ケース４６の上面４６ａを伝って、あるいはフラップ２４の傾斜面２４ａａと電装ケース４６の上面４６ａとを伝って、投函口５２ｂの外に排出される。
【００２９】
保護ケース３６は、後ろに突出した凸形状に形成される。具体的には保護ケース３６は、いずれも板状の、上板部３６ａと、後板部３６ｂと、下板部３６ｃと、を含む。上板部３６ａは、平面視で（すなわち鉛直上方から見て）左右方向に長い矩形状を有する。後板部３６ｂは、上板部３６ａの後端側から下方に延び、正面視で（すなわち前方から見て）左右方向に長い矩形状を有する。下板部３６ｃは、後板部３６ｂの下端側から前方に延び、平面視で左右方向に長い矩形状を有する。保護ケース３６は、上板部３６ａ、後板部３６ｂおよび下板部３６ｃに囲まれる空間に撮像ユニット４２および操作表示ユニット４４の配線を収容しつつ、撮像ユニット４２の背面と操作表示ユニット４４の背面を覆ってそれらを保護する。
【００３０】
上板部３６ａの上面３６ａａの少なくとも一部は投函口５２ｂの内側に位置する。図５の例では、上板部３６ａの上面３６ａａの全体が投函口５２ｂの内側に位置する。以下、投函口５２ｂの内側に位置する上板部３６ａの上面３６ａａの部分を、ガイド面３６ａｂと呼ぶ。ガイド面３６ａｂは、投函口５２ｂから投函される投函物を、投函物が積み重なる積載面となる仕切２０の上面２０ａに案内するように、投函口５２ｂから離れるほどすなわち後ろ側となるほど下方に位置するように傾斜している。また、ガイド面３６ａｂは、最も低い後端部でも、積載面よりも高くなっている。投函口５２ｂと積載面との間にガイド面３６ａｂが存在することにより、投函口５２ｂから差し込んだ指が積載面に届きにくくなるため、投函物の盗難が抑止される。つまり、保護ケース３６は、投函物の盗難を抑止するための部材を兼ねている。
【００３１】
機能ユニット４０は、着脱可能にボックス本体１０に固定される。機能ユニット４０は特に、荷物収納装置１００の他の構成部材を取り外すことなく着脱可能に、ボックス本体１０に固定される。図５の例では、機能ユニット４０は、電装ケース４６の掛止部４６ｂが保護ケース３６の上板部３６ａに掛止され（引っ掛けられ）、さらに電装ケース４６が保護ケース３６の下板部３６ｃにネジ留めされることにより、ボックス本体１０に固定されている。
【００３２】
したがって、機能ユニット４０をボックス本体１０に固定する場合は、取出扉２２を開き、機能ユニット４０を保護ケース３６の上板部３６ａに掛止させ、取出口５２ａから工具を差し込んで機能ユニット４０を保護ケース３６の下板部３６ｃにネジ留めする。機能ユニット４０をボックス本体１０から取り外す場合は、固定する場合とは逆の手順で取り外すことができる。機能ユニット４０が比較的容易に着脱可能であるため、撮像ユニット４２および操作表示ユニット４４をメンテナンスしたり交換したりできる。変形例として、撮像ユニット４２と操作表示ユニット４４は、別々の電装ケースで保持され、それぞれ単独で着脱可能に、ボックス本体１０に固定されてもよい。
【００３３】
図６は、荷物収納装置１００の制御系を示すブロック図である。荷物収納装置１００は、開閉検知装置３８と、制御部６０と、をさらに備える。
【００３４】
開閉検知装置３８は、外扉３０の開閉を検知し、検知結果を制御部６０に出力する。具体的には開閉検知装置は、外扉３０が完全に閉じている間は閉信号を制御部６０に出力し、外扉３０が開いている間は開信号を制御部に出力する。開閉検知装置３８は、例えばリミットスイッチを含んで構成されてもよい。変形例として、開閉検知装置３８は、外扉の開度を検出可能に構成されてもよい。
【００３５】
制御部６０は、入力部６１と、表示制御部６２と、第１錠前制御部６３と、第２錠前制御部６４と、撮像制御部６５と、を含む。これらの各ブロックは、ハードウェア的には、コンピュータのＣＰＵ・メモリをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００３６】
入力部６１は、操作表示ユニット４４に対する操作入力を受け付ける。表示制御部６２は、操作表示ユニット４４に対する表示を制御する。表示制御部６２は、外扉３０が完全に閉じている状態から開かれると、荷物収納装置１００に対する操作を受け付けるための所定の操作画面を操作表示ユニット４４に表示させる。なお、表示制御部６２は、開閉検知装置３８が外扉３０の開度を検出可能に構成されている場合は、外扉３０が所定の開度以上開かれた場合に所定の操作画面を操作表示ユニット４４に表示させてもよい。
【００３７】
第１錠前制御部６３は、第１錠前部２３による取出扉２２の施錠および解錠を制御する。第１錠前制御部６３は、取出扉２２を解錠するための操作入力を受け付けると、取出扉２２を解錠するよう第１錠前部２３を解錠制御する。また、第１錠前制御部６３は、外扉３０が閉じたことを開閉検知装置３８が検知すると、外扉３０が閉じられたことを契機に、取出扉２２を施錠するよう第１錠前部２３を施錠制御する。また、第１錠前制御部６３は、取出扉２２が閉じているが外扉３０が開いている場合は、取出扉２２が閉じられてから所定時間が経過したことを契機に、取出扉２２を施錠するよう第１錠前部２３を施錠制御する。この場合、第１錠前制御部６３は、予め登録されていた連絡先に外扉３０が開いている旨を通知する。
【００３８】
第２錠前制御部６４は、第２錠前部２７による荷物扉２６の施錠および解錠を制御する。第２錠前制御部６４は、荷物扉２６を解錠するための操作入力を受け付けると、荷物扉２６を解錠するよう第２錠前部２７を解錠制御する。また、第２錠前制御部６４は、外扉３０が閉じたことを開閉検知装置３８が検知すると、外扉３０が閉じられたことを契機に、荷物扉２６を施錠するよう第２錠前部２７を施錠制御する。また、第２錠前制御部６４は、荷物扉２６が閉じているが外扉３０が開いている場合は、荷物扉２６が閉じられてから所定時間が経過したことを契機に、荷物扉２６を施錠するよう第２錠前部２７を施錠制御する。この場合、第２錠前制御部６４は、予め登録されていた連絡先に外扉３０が開いている旨を通知する。
【００３９】
撮像制御部６５は、撮像ユニット４２による撮像を制御する。撮像制御部６５は、荷物扉２６または取出扉２２を解錠するための操作入力を受け付けると、その操作を行った人を撮像するべく撮像ユニット４２による撮像を開始させる。なお、特に限定しないが、撮像制御部６５は、外扉３０が閉じられるまで撮像ユニット４２による撮像を継続させる。
【００４０】
以上が荷物収納装置１００の構成である。つづいてその動作を説明する。ここでは、荷物収納部５４に荷を出し入れするときの動作を説明する。
まず、ユーザは、外扉３０を開く。これにより、取出扉２２、荷物扉２６、撮像ユニット４２および操作表示ユニット４４が露出する。つづいて、ユーザは、操作表示ユニット４４に荷物扉２６を解錠するための操作を入力する。制御部６０は、操作入力を受け付けると、撮像ユニット４２による撮像を開始させる。また、制御部６０は、荷物扉２６を解錠するよう第２錠前部２７を解錠制御する。ユーザは、解錠された荷物扉２６を開いて荷を出し入れする。最後に、ユーザは、外扉３０を閉じる。これにより、取出扉２２、荷物扉２６、撮像ユニット４２および操作表示ユニット４４が覆われて隠れた状態になる。また、制御部６０は、荷物扉２６を施錠するよう第２錠前部２７を施錠制御するとともに、撮像ユニット４２による撮像を終了させる。
【００４１】
本実施の形態によれば、外扉３０により撮像ユニット４２が覆われて隠れるため、監視されているかのような不快感を近隣住人等に与えるのを抑止できる。
【００４２】
以上、実施の形態に係る荷物収納装置１００について説明した。この実施の形態は例示であり、各構成要素の組み合わせにいろいろな変形例が可能なこと、またそうした変形例も本発明の範囲にあることは当業者に理解されるところである。
【００４３】
（変形例１）
実施の形態では、撮像ユニット４２と荷物扉２６を外扉３０で覆う場合について説明したが、これに限られない。撮像ユニット４２と荷物扉２６とを別々の外扉で覆ってもよい。あるいは、撮像ユニット４２は外扉３０で覆い、荷物扉２６は外扉３０で覆わないようにしてもよい。いずれにせよ、撮像ユニット４２が扉で覆われて隠れるため、監視されているかのような不快感を近隣住人等に与えるのを抑止できる。
【００４４】
（変形例２）
実施の形態では、荷物扉２６を開くための操作入力を受け付けると撮像ユニット４２による撮像が開始する場合について説明したが、これに限られず、外扉３０が開けられたら撮像ユニット４２による撮像が開始されてもよい。この場合、荷物扉２６を開くための操作入力を行わずに荷物扉２６あるいは第２錠前部２７を破壊して荷物収納部５４を開こうとする人を撮像することができる。また同様に、取出扉２２を開くための操作入力を行わずに取出扉２２あるいは第１錠前部２３を破壊して投函物収納部５２を開こうとする人を撮像することができる。
【００４５】
実施の形態および変形例により具体化される発明を一般化すると、以下の技術的思想が導かれる。
本発明のある態様の荷物収納装置は、荷物を収納するための荷物収納部と、荷物収納部に荷物を出し入れするための開口を開閉する荷物扉と、荷物扉を開くための操作を行う人を撮像する撮像ユニットと、撮像ユニットを覆う外扉と、を備える。
【００４６】
この態様によると、外扉により撮像ユニットが覆われて隠れるため、監視されているかのような不快感を近隣住人等に与えるのを抑止できる。
【００４７】
外扉は、撮像ユニットに加えて、荷物扉を覆う。この態様によると、荷物収納部に対して荷を出し入れするには外扉を開くことになり、したがって必然的に撮像ユニットが外扉に覆われていない状態になる。そのため、荷物扉を開くための操作を行う人を確実に撮像できる。
【００４８】
操作を受け付けるための操作表示部と、制御部と、を備えてもよい。制御部は、外扉が開かれた場合に、荷物扉を開くための操作を受け付けるための操作画面を操作表示部に表示させてもよい。
【００４９】
荷物扉を施錠するための錠前部と、制御部と、を備えてもよい。制御部は、外扉が閉じられた場合には、外扉が閉じられたことを契機に錠前部を施錠し、外扉は閉じられていない場合には、荷物扉が閉じられてから所定時間が経過したことを契機に錠前部を施錠してもよい。
【００５０】
撮像ユニットは、着脱可能であってもよい。この態様によると、撮像ユニットをメンテナンスしたり交換したりできる。
【００５１】
投函物を収納するための投函物収納部と、撮像ユニットを保持する電装ケースと、を備えてもよい。電装ケースの上面は、前方に開口した投函物収納部への投函口の下面を画定してもよい。この態様によると、投函口の下面を画定する部材が不要となり、製造コストが低減される。
【００５２】
電装ケースの上面は、前側となるほど下方に位置するように傾斜していてもよい。この態様によると、投函物収納部に雨水等の液体が侵入するのを抑止できる。
【００５３】
投函物を収納するための投函物収納部と、撮像ユニットの背面を覆う保護ケースと、を備えてもよい。保護ケースの上面は、投函口の内側に位置し、投函口から投函される投函物を、投函物が積み重なる積載面に案内するように、投函口から離れるほど下方に位置するように傾斜していてもよい。この態様によると、保護ケースの上面は、投函口から投函される投函物を投函物収納部の積載面に案内するガイド面として機能する。投函口と投函物収納部の積載面との間にガイド面が存在することにより、投函口から差し込んだ指が積載面に届きにくくなるため、投函物の盗難が抑止される。
【００５４】
投函口を開閉するフラップを備えてもよい。フラップの前面は、下側となるほど前方に位置するように傾斜している傾斜面を有してもよい。この態様によると、投函物収納部に雨水等の液体が侵入するのを抑止できる。
【符号の説明】
【００５５】
２６  荷物扉、  ３０  外扉、  ５４  荷物収納部、  ４２  撮像ユニット、  １００  荷物収納装置。
【図１】
2019176984.tif 000003
【図２】
2019176984.tif 000004
【図３】
2019176984.tif 000005
【図４】
2019176984.tif 000006
【図５】
2019176984.tif 000007
【図６】
2019176984.tif 000008